(57)【要約】      （修正有）【課題】樹脂製の街灯ケースに適用可能であり、低電力でありながらも、高光度であり、放熱効果が極めて良く、製品寿命の長いＬＥＤ街灯を提供する。【解決手段】少なくとも、熱伝導管枠１０と、ケース上蓋２０と、ケース下蓋３０と、集光板４０と、透明カバー５０と、を含むＬＥＤ街灯において、熱伝導管枠１０には、メイン放熱フィンを有する放熱台１１が形成されており、放熱台１１の両側には複数の貫通孔４１が開設された接合面１１０が設けられており、各接合面１１０の上では安定器ケース１２が設けられており、熱伝導管枠１０の端面には、複数の放熱ランプユニット１３の複数の熱伝導管１３１が挿入されている複数の挿入穴可能ピンが配置されており、そして熱伝導管枠１０の複数の挿入穴可能ピンの上には、複数の通気穴１４１と放熱穴を有するエアガイド装置１４が嵌め設けられている。【選択図】図２
0003144750.tif 000002
【実用新案登録請求の範囲】
【請求項１】
熱伝導管枠１０と、ケース上蓋２０と、ケース下蓋３０と、集光板４０と、透明カバー５０と、を有するＬＥＤ街灯において、
前記ケース上蓋２０は、樹脂製品であり、上端には前記熱伝導管枠１０を収容する収容体２１が設けられており、前記収容体２１の両側の近傍に複数の第一貫通孔２１１が開設されており、前記収容体２１の中央に開口部２２が開設されており、前記開口部２２の両側の側辺に条状突起２２１が設けられており、前記開口部２２に前記集光板４０が収容されており、前記ケース上蓋２０の前端の内縁には、接合係り具２６及び係り具２７を締付可能な固定ロッド２５が複数に設けられており、前記ケース上蓋２０の末端には、連接体２９を締付可能なロックロッド２８が設けられており、
前記ケース下蓋３０は、樹脂製品であり、内部に内壁３１が設けられており、前記内壁３１と底板３２の連接箇所では環状溝３３が形成されており、前記環状溝３３にシールリング３４を入れることにより、前記ケース下蓋３０と前記透明カバー５０が液密状態になり、また、前記ケース下蓋３０の前端の内縁に設けられた係り連接部３５は、係合具３６と連接しており、且つ前記ケース上蓋２０の前端に固定された前記係り具２７と係止しており、前記ケース下蓋３０の後端には前記ケース上蓋２０と連接している前記連接体２９が締付けられており、
前記集光板４０は、両端が前記ケース上蓋２０の二つの内側辺に設けられた前記条状突起２２１に固定されており、
前記透明カバー５０は、光透過可能であり、一側に枠辺部５１が設けられており、前記ケース下蓋３０の前記環状溝３３に前記枠辺部５１を締付けると、前記透明カバー５０と前記ケース下蓋３０が結合状態になるＬＥＤ街灯において、
前記熱伝導管枠１０には、メイン放熱フィン１１１を有する放熱台１１が形成されており、前記放熱台１１の両側には複数の貫通孔１１００が開設された接合面１１０が設けられており、各前記接合面１１０の上では安定器ケース１２が設けられており、前記熱伝導管枠１０の端面には、複数の放熱ランプユニット１３の複数の熱伝導管１３１が挿入されている複数の挿入穴１１０１がレイアウトされており、そして前記熱伝導管枠１０の複数の前記挿入穴１１０１の上には、複数の通気穴１４１と放熱穴１４２を有するエアガイド装置１４が嵌め設けられていることを特徴とする
ＬＥＤ街灯。
【請求項２】
前記安定器ケース１２は、頂端に複数のフィン１２１がレイアウトされており、底端に収容空間１２２が形成されていることを特徴とする、請求項１に記載のＬＥＤ街灯。
【請求項３】
前記エアガイド装置１４の両側に開設された前記通気穴１４１の寸法は、設計段階で放熱状況を考慮し最適な大きさに設定されることを特徴とする、請求項１に記載のＬＥＤ街灯。
【考案の詳細な説明】
【技術分野】
【０００１】
本考案は、ＬＥＤ（Ｌｉｇｈｔ  Ｅｍｉｔｔｉｎｇ  Ｄｉｏｄｅ）街灯に関するものである。
【背景技術】
【０００２】
従来、街灯は高光度が要求されるので、大出力及び大型の発光体を使用することが一般的であり、そしてその放熱は街灯のケースによって熱を外部に放出する。
【０００３】
しかしながら、従来は次のような欠点があった。
（１）大出力及び大型の発光体を使用する場合には、電力の消費が極めて多い。
（２）大出力及び大型の発光体を使用する場合には、発光体の点灯による熱が街灯のケースのみによって熱を外部に放出すると、放熱が不十分であるので、ケースが高熱になり、また、発光体が高熱によって破損する危険性がある。
【０００４】
上記課題を解決するために、本出願人は特許文献１の「放熱構造」を提案する。これは、放熱効果が極めて良いアルミによって街灯のケースを作製するものである。
【０００５】
【特許文献１】特許出願２００８−１２８４５５
【考案の開示】
【考案が解決しようとする課題】
【０００６】
本考案の主な目的は、樹脂製の街灯ケースに適用可能な、低電力でありながらも、高光度、及び、放熱効果が極めて良く、製品寿命の長いＬＥＤ街灯を提供することにある。
【課題を解決するための手段】
【０００７】
本考案のＬＥＤ街灯によると、熱伝導管枠１０と、ケース上蓋２０と、ケース下蓋３０と、集光板４０と、透明カバー５０と、を有するＬＥＤ街灯において、前記ケース上蓋２０は、樹脂製品であり、上端には前記熱伝導管枠１０を収容する収容体２１が設けられており、前記収容体２１の両側の近傍に複数の第一貫通孔２１１が開設されており、前記収容体２１の中央に開口部２２が開設されており、前記開口部２２の両側の側辺に条状突起２２１が設けられており、前記開口部２２に前記集光板４０が収容されており、前記ケース上蓋２０の前端の内縁には、接合係り具２６及び係り具２７を締付可能な固定ロッド２５が複数に設けられており、前記ケース上蓋２０の末端には、連接体２９を締付可能なロックロッド２８が設けられており、前記ケース下蓋３０は、樹脂製品であり、内部に内壁３１が設けられており、前記内壁３１と底板３２の連接箇所では環状溝３３が形成されており、前記環状溝３３にシールリング３４を入れることにより、前記ケース下蓋３０と前記透明カバー５０が液密状態になり、また、前記ケース下蓋３０の前端の内縁に設けられた係り連接部３５は、係合具３６と連接しており、且つ前記ケース上蓋２０の前端に固定された前記係り具２７と係止しており、前記ケース下蓋３０の後端には前記ケース上蓋２０と連接している前記連接体２９が締付けられており、前記集光板４０は、両端が前記ケース上蓋２０の二つの内側辺に設けられた前記条状突起２２１に固定されており、前記透明カバー５０は、光透過可能であり、一側に枠辺部５１が設けられており、前記ケース下蓋３０の前記環状溝３３に前記枠辺部５１を締付けると、前記透明カバー５０と前記ケース下蓋３０が結合状態になるＬＥＤ街灯において、前記熱伝導管枠１０には、メイン放熱フィン１１１を有する放熱台１１が形成されており、前記放熱台１１の両側には複数の貫通孔１１００が開設された接合面１１０が設けられており、各前記接合面１１０の上では安定器ケース１２が設けられており、前記熱伝導管枠１０の端面には、複数の放熱ランプユニット１３の複数の熱伝導管１３１が挿入されている複数の挿入穴１１０１がレイアウトされており、そして前記熱伝導管枠１０の複数の前記挿入穴１１０１の上には、複数の通気穴１４１と放熱穴１４２を有するエアガイド装置１４が嵌め設けられていることを特徴とする。
【０００８】
また、本考案のＬＥＤ街灯によると、  前記安定器ケース１２は、頂端に複数のフィン１２１がレイアウトされており、底端に収容空間１２２が形成されていることを特徴とする。
【０００９】
また、本考案のＬＥＤ街灯によると、  前記エアガイド装置１４の両側に開設された前記通気穴１４１の寸法は、設計段階で放熱状況を考慮し最適な大きさに設定されることを特徴とする。
【考案の効果】
【００１０】
本考案のＬＥＤ街灯によれば、次のような効果がある。
（１）本考案に係るＬＥＤ街灯は、発光体のパワーが約３０Ｗ程度である場合の放熱は、ケース上蓋の頂部に設けられた熱伝導管枠の上にエアガイド装置が設けられているので、大出力及び大型のＬＥＤ街灯であっても、放熱効果が極めて優れている。
【００１１】
（２）熱伝導管枠に設けられたメイン放熱フィンの他に、放熱台の両側に設けられた安定器ケースの上面に複数のフィンがさらに設置されているので、放熱面積が増加し、放熱効果が極めて優れている。
（３）本考案に係るアルミ製のエアガイド装置は、放熱効果を有すると共に、熱伝導管枠のメイン放熱フィンにエアを吸入することができる為、放熱効果が向上し、ＬＥＤ街灯の製品寿命をさらに長くすることができる。
【考案を実施するための最良の形態】
【００１２】
以下、本考案の実施の形態を図面に基づいて説明する。
まず、図１、図２、図３及び図６を参照する。本考案に係るＬＥＤ街灯は、熱伝導管枠１０と、ケース上蓋２０と、ケース下蓋３０と、集光板４０と、透明カバー５０と、を含んでいる。
熱伝導管枠１０には、メイン放熱フィン１１１及び複数の嵌めロッド１１１０を有する放熱台１１が形成されている。放熱台１１の両側には複数の貫通孔１１００が開設された接合面１１０が設けられており、各接合面１１０の上には、上面に複数のフィン１２１が設けられた安定器ケース１２が接合されている。接合面１１０には貫通孔１１００が複数開設されており、熱伝導管枠１０の端面には、複数の放熱ランプユニット１３に複数の熱伝導管１３１が挿入されている複数の挿入穴１１０１がレイアウトされている。熱伝導管枠１０の周縁には、ケース上蓋２０の収容体２１に接合のためのエッジ１１２が設けられている。そして熱伝導管枠１０の複数の挿入穴１１０１の上部には、複数の通気穴１４１と放熱穴１４２を有するエアガイド装置１４が嵌合されている。安定器ケース１２は、頂端に複数のフィン１２１がレイアウトされており、底端に収容空間１２２が形成されている。また、収容空間１２２には、複数の熱伝導管１３１と電気的に連接している回路基板（図示せず）が収容されている。
【００１３】
ケース上蓋２０は、樹脂製品である。上端には熱伝導管枠１０を収容する収容体２１が設けられており、収容体２１の内側開口部の縁部両側に複数の第一貫通孔２１１が開設されている。収容体２１の中央に開口部２２が開設されており、開口部２２の第一貫通孔２１１が開設されていない両側の側辺には条状突起２２１が設けられている。開口部２２に集光板４０が収容されており、開口部２２の外縁に枠辺２３が形成されており、枠辺２３の周辺には構造を補強するためのリブ２４が複数設けられている。ケース上蓋２０の前端には電信柱の接続器具（図示せず）を嵌合する取付穴２００が開設されている。また、ケース上蓋２０の前端の内縁には、切り欠２６１を有する接合係り具２６と、係り穴２７１を有する係り具２７と、を締付可能な固定ロッド２５が複数設けられている。また、ケース上蓋２０の末端には、連接体２９の第一プレート２９１を締付可能なロックロッド２８が設けられており、これにより、ケース上蓋２０とケース下蓋３０が連接されることが可能な状態になる。
【００１４】
ケース下蓋３０は、樹脂製品であり、内部に内壁３１が設けられている。内壁３１と底板３２の連接箇所では、複数の固定ロッド３３１を有する環状溝３３が形成されており、環状溝３３の中央には嵌込穴３３０が開設されており、嵌込穴３３０には透明カバー５０が収容されている。環状溝３３にシールリング３４を入れることにより、図６に示すように、ケース下蓋３０と透明カバー５０が液密状態になる。ケース下蓋３０の前端には電信柱の接続器具（図示せず）に嵌合する取付穴３００が開設されており、ケース下蓋３０の前端の内縁に設けられ嵌め体３５１を有する係り連接部３５は、フック３６０を有する係合具３６と連接している。且つケース上蓋２０の前端に固定された係り具２７に開設された係り穴２７１と係止している。ケース下蓋３０の後端には、連接体２９の第二プレート２９２に締付ける位置決めロッド３７が複数に設けられており、連接体２９により、図５に示すように、ケース上蓋２０とケース下蓋３０が連接させることが可能な状態になる。
【００１５】
集光板４０は、両端に複数の貫通孔４１が開設された縁が曲線の板状体であり、その両端がケース上蓋２０の対向する二つの内側辺に設けられた条状突起２２１に固定されている。
透明カバー５０は、光を透過可能であり、一側には複数のロック片５２を有する枠辺部５１が設けられており、ケース下蓋３０の環状溝３３に枠辺部５１を結合すると、透明カバー５０とケース下蓋３０が結合状態になる。
また、エアガイド装置１４の両側に開設された通気穴１４１の寸法は、設計段階で放熱状況を考慮し最適な大きさに設定される。
【００１６】
図２及び図３を参照する。放熱ランプユニット１３は、複数の熱伝導管１３１と、複数のＬＥＤランプユニット１３２と、から構成されている。熱伝導管１３１は、熱伝導効果を有する金属チューブであり、一端の両側に接合面部１３１１が設けられており、接合面部１３１１にＬＥＤランプユニット１３２が設けられている。ＬＥＤランプユニット１３２は、複数のＬＥＤランプ１３３と、複数の熱伝導ブロックと、複数の基板と、複数の固定子と、を積層して構成されている。ＬＥＤランプ１３３は、特許文献１の「放熱構造」に記載されているので、説明を省略した。
本考案に係る熱伝導管枠１０と、ケース上蓋２０と、ケース下蓋３０とは粘着剤で接合してもよい。また、集光板４０と透明カバー５０も粘着剤で接合してもよい。
【００１７】
次に、図２及び図３を参照しながら本考案のＬＥＤ街灯の組立方法を説明する。まず、基板の貫通孔に複数のＬＥＤランプ１３３（図６参照）を順次に嵌め込むことにより、ＬＥＤランプ１３３（図６参照）の電極の一側が基板の直列接続回路を有する一側と接触するようになる。その後、ＬＥＤランプ１３３（図６参照）の電極の他側に熱伝導ブロックの一側を貼り付けることにより、ＬＥＤランプ１３３の点灯による熱が熱伝導ブロックに伝導される。そして固定子を基板の貫通孔に挿通して熱伝導ブロックのロック穴に締付けると、基板と熱伝導ブロックが結合状態になる。最後に、熱伝導ブロックの一側に熱伝導管１３１の一側にある接合面部１３１１を貼り付ける。
【００１８】
また、図２及び図４に示すように、ＬＥＤランプユニット１３２と熱伝導管１３１を組合せた後に、放熱ランプユニット１３全体の放熱効率を向上するために、別の接合部１３１１に熱伝導管１３１を別に重ねることが必要である。その後、放熱台１１の一側に放熱ランプユニット１３を嵌め込み、放熱台１１の両側に、上面に複数のフィン１２１が設けられた安定器ケース１２を固定し、放熱台１１の上面にエアガイド装置１４を嵌め設け、ケース上蓋２０の収容体２１に熱伝導管枠１０を設け、条状突起２２１に集光板４０の両側を固定し、シールリング３４によりケース下蓋３０に設けられた環状溝と透明カバー５０が液密状態になり、次に、固定子によってケース下蓋３０の固定ロッド３３１に透明カバー５０を締付けて、連接体２９によりケース上蓋２０とケース下蓋３０が連接状態になる。そしてケース上蓋２０の係り具２７に開設された係り穴２７１に、ケース下蓋３０の係合具３６に設けられたフック３６０を係止すると、ケース上蓋２０とケース下蓋３０が結合状態になる。また、図４及び図５に示すように、ＬＥＤ街灯の内部の部材を交換しようとする場合には、係合具３６を引くだけで、係り穴２７１との係止が解除され、ケース下蓋３０を下に旋回すると、ＬＥＤ街灯の内部の部材を交換することができる。
【００１９】
また、図６を参照しながら本考案の使用状態を説明する。複数の熱伝導管１３１によりＬＥＤランプ１３３の点灯による熱がメイン放熱フィン１１１に伝導される。また、メイン放熱フィン１１１の上にはエアガイド装置１４が組み付けられており、アルミ製のエアガイド装置１４により、自身が放熱可能である。そして、図６の矢印に示すように、空気が、エアガイド装置１４の一側に開設された複数の通気穴１４１からメイン放熱フィン１１１内に吸入されて、他側に開設された複数の通気穴１４１及び放熱穴１４２から熱を排出する。さらに、安定器ケース１２の稼動による熱も一緒に排出される。
【図面の簡単な説明】
【００２０】
【図１】本考案に係るＬＥＤ街灯の斜視図である。
【図２】本考案に係るＬＥＤ街灯の分解斜視図である。
【図３】本考案に係るＬＥＤ街灯の別の視点から見た分解斜視図である。
【図４】本考案に係るＬＥＤ街灯の組合せ状態の一部を破断した斜視図である。
【図５】本考案に係るケース上蓋及びケース下蓋を開いた状態の斜視図である。
【図６】本考案に係るＬＥＤ街灯の放熱経路を示す概略図である。
【符号の説明】
【００２１】
１０      熱伝導管枠
１１      放熱台
１２      安定器ケース
１３      放熱ランプユニット
１４      エアガイド装置
２０      ケース上蓋
２１      収容体
２２      開口部
２３      枠辺
２４      リブ
２５      固定ロッド
２６      接合係り具
２７      係り具
２８      ロックロッド
２９      連接体
３０      ケース下蓋
３１      内壁
３２      底板
３３      環状溝
３４      シールリング
３５      係り連接部
３６      係合具
３７      位置決めロッド
４０      集光板
４１      貫通孔
５０      透明カバー
５１      枠辺部
５２      ロック片
１１０    接合面
１１１    メイン放熱フィン
１１２    エッジ
１２１    フィン
１２２    収容空間
１３１    熱伝導管
１３２    ＬＥＤランプユニット
１３３    ＬＥＤランプ
１４１    通気穴
１４２    放熱穴
２００    取付穴
２１１    第一貫通孔
２２１    条状突起
２５１    溝
２６１    切り欠
２７１    係り穴
２９１    第一プレート
２９２    第二プレート
３００    取付穴
３３０    嵌込穴
３３１    固定ロッド
３５１    嵌め体
３６０    フック
３６１    シャフト
１１００  貫通孔
１１０１  挿入穴
１３１１  接合面部
【図１】
0003144750.tif 000003
【図２】
0003144750.tif 000004
【図３】
0003144750.tif 000005
【図４】
0003144750.tif 000006
【図５】
0003144750.tif 000007
【図６】
0003144750.tif 000008